(57)【要約】【課題】  光源にＬＥＤを用いた蛍光灯照明器具に取り付け可能なＬＥＤ照明装置において、ＬＥＤによって発光する範囲を従来同様に保ちつつ、且つ電源供給回路の交換が容易に出来るＬＥＤ照明装置を提供する。【解決手段】  曲面部２ａと平坦部２ｂを一体に形成した端面略Ｄ字形状を成すフレーム２の曲面部２ａと平坦部２ｂで形成される空間を電源供給回路が保持された保持部材６の収納部とし、前記フレーム２端部の平坦部２ｂに切欠き部２ｃを形成し、前記切欠き部２ｃに係合する突部６ｃを前記保持部材６に設けた。【選択図】図４
0003163304.tif 000002
【実用新案登録請求の範囲】
【請求項１】
曲面部と平坦部を一体に形成した端面略Ｄ字形状を成すフレームと、前記平坦部に配置される光源たるＬＥＤが配設されたＬＥＤ基板と、前記フレームに組付ける端面略円弧状を成すカバー体と、前記ＬＥＤを発光させるための電源供給回路と、前記電源供給回路を保持する保持部材と、前記フレームと前記カバー体の両端を夫々保持するホルダー部材と、前記ホルダー部材に固定する口金と、を主要部品とするＬＥＤ照明装置であって、前記フレームの曲面部と平坦部で形成される空間を電源供給回路が保持された保持部材の収納部とし、前記フレーム端部の平坦部に切欠き部を形成し、前記保持部材には前記切欠き部に係合する突部を設けたことを特徴とするＬＥＤ照明装置。
【請求項２】
前記保持部材は電源供給回路を取り付けるための開口部を有する断面略ハーフパイプ形状を成していることを特徴とする請求項１に記載のＬＥＤ照明装置。
【請求項３】
前記フレームと前記電源供給回路の電気的接触を防止するための絶縁シートを設け、前記絶縁シートには保持部材の突部に挿嵌する貫通孔を設けたことを特徴とする請求項１又は請求項２の何れか１項に記載のＬＥＤ照明装置。
【考案の詳細な説明】
【技術分野】
【０００１】
本考案は、光源にＬＥＤを用いた照明装置に係るものであり、より詳しくは、蛍光灯照明器具に取り付け可能なＬＥＤ照明装置の構造に関する。
【背景技術】
【０００２】
近年、ガラス管の内部で紫外線を発生させ、ガラス管の内壁に予め塗布された蛍光物質が紫外線を可視光に変換させる蛍光灯の代替品として、発光ダイオード（ＬＥＤ：Ｌｉｇｈｔ  Ｅｍｉｔｔｉｎｇ  Ｄｉｏｄｅ）を光源とする照明装置の実用化が進められている。ＬＥＤを光源とする照明装置の利点として、蛍光灯を使用する場合に比べて長寿命、省エネルギー等が挙げられる。
【０００３】
光源にＬＥＤを用いた照明装置について一例を詳述すれば、透明材料で形成された管状体であるチューブと、前記チューブ内に設置され、一側面に複数のＬＥＤが並列するように設け、前記チューブの両端部より突出する二つの接続端子を設けた回路板と、前記チューブの両端部に嵌合する二つのキャップと、前記キャップ内に取り付けられ、内側に一組の内部コネクタを備え、外側には外部コネクタを備え、前記外部コネクタが前記キャップを貫通し突出する電源供給回路とにより構成された照明装置が知られている（特許文献１）。
【０００４】
【特許文献１】実用新案登録第３１５４２００号公報
【考案の概要】
【考案が解決しようとする課題】
【０００５】
このように構成されたＬＥＤ照明装置は、蛍光灯照明器具の差込口に外部コネクタを挿嵌させることにより、複数のＬＥＤを発光させることができる。しかし、特許文献１で示すＬＥＤ照明装置によれば、ＬＥＤが発光するチューブの両端部に備えるキャップの内部に電源供給回路を収納することから、キャップの部分が長くなり、ＬＥＤにより発光する部分が短くなることが懸念される。すなわち、照明装置の長さは照明器具に取り付けられるようＪＩＳ規格により定められており、特許文献１で示す照明装置によれば、ＬＥＤの光を透過しないキャップの長さが長くなることから、蛍光灯よりも光る範囲が狭くなる虞がある。
【０００６】
本考案は上述した点に鑑みてなされたものであって、その目的とするところは、ＬＥＤによって発光する範囲を従来の蛍光灯と同様に保ちつつ、且つ電源供給回路の交換が容易に出来るＬＥＤ照明装置を提供することにある。
【課題を解決するための手段】
【０００７】
請求項１に係るＬＥＤ照明装置は、曲面部と平坦部を一体に形成した端面略Ｄ字形状を成すフレームと、前記平坦部に配置される光源たるＬＥＤが配設されたＬＥＤ基板と、前記フレームに組付ける端面略円弧状を成すカバー体と、前記ＬＥＤを発光させるための電源供給回路と、前記電源供給回路を保持する保持部材と、前記フレームと前記カバー体の両端を夫々保持するホルダー部材と、前記ホルダー部材に固定する口金と、を主要部品とするＬＥＤ照明装置であって、前記フレームの曲面部と平坦部で形成される空間を電源供給回路が保持された保持部材の収納部とし、前記フレーム端部の平坦部に切欠き部を形成し、前記保持部材には前記切欠き部に係合する突部を設けたことを特徴としている。
【０００８】
又、請求項２に係るＬＥＤ照明装置は、請求項１に記載のＬＥＤ照明装置であって、前記保持部材は電源供給回路を取り付けるための開口部を有する断面略ハーフパイプ形状を成していることを特徴としている。
【０００９】
又、請求項３に係るＬＥＤ照明装置は、請求項１又は請求項２の何れか１項に記載のＬＥＤ照明装置であって、前記フレームと前記電源供給回路の電気的接触を防止するための絶縁シートを設け、前記絶縁シートには保持部材の突部に挿嵌する貫通孔を設けたことを特徴としている。
【考案の効果】
【００１０】
以上のような本考案の構成によれば、フレームの平坦部上にＬＥＤが複数配設されたＬＥＤ基板を配置し、曲面部と平坦部で形成される前記フレームの空間を収納部として保持部材に保持された電源供給回路を収納する構成としていることから、ＬＥＤによって発光する範囲を従来同様に保つことが可能となる。また、フレーム端部に形成された切欠き部に収納部へ収納する保持部材の突部を係合する構成としている為、フレームとカバー体の端部を保持するホルダー部材を外し、フレームの収納部に収納された保持部材の突部を引っ張ることで、前記フレームから前記保持部材を引き出すことが出来、前記保持部材に保持された電源供給回路の交換を容易に行うことが可能となる。
【図面の簡単な説明】
【００１１】
【図１】本考案の実施例における蛍光灯型ＬＥＤ照明装置を示す斜視図。
【図２】本考案の実施例における蛍光灯型ＬＥＤ照明装置を示す分解斜視図。
【図３】本考案の実施例における電源供給回路を保持部材に取り付ける状態を示す斜視図。
【図４】本考案の実施例における保持部材をフレームに取り付ける状態を示す斜視図。
【図５】本考案の実施例におけるＬＥＤ基板をフレームに配置する状態を示す斜視図。
【図６】本考案の実施例におけるカバー体をフレームに取り付ける状態を示す斜視図。
【図７】本考案の実施例におけるカバー体をフレームに取り付けた状態を示す側面図。
【図８】本考案の実施例におけるホルダー部材をフレームに取り付ける状態を示す斜視図。
【図９】本考案の実施例における口金をホルダー部材に取り付ける状態を示す斜視図。
【考案を実施するための形態】
【００１２】
以下、本考案を実施するための最良の形態としての実施例を図１〜図９を用いて説明する。尚、本考案はその主旨に反しない範囲で、実施例において説明した構成以外のものに対しても容易に適用可能である。
【００１３】
図１は本考案の実施例における蛍光灯型ＬＥＤ照明装置を示す斜視図、図２は本考案の実施例における蛍光灯型ＬＥＤ照明装置を示す分解斜視図である。同図で示すように、本実施例で示す蛍光灯型ＬＥＤ照明装置１は、金属製の端面略Ｄ形状を成すフレーム２、光源のＬＥＤ３ａが複数配設されたＬＥＤ基板３、前記フレーム２に組付けるカバー体４、前記ＬＥＤ３ａを発光させるための電源供給回路５、前記電源供給回路５を保持する断面略ハーフパイプ形状の保持部材６、前記フレーム２に電源供給回路５が電気的に接触してショートするのを防止する為の絶縁シート７、前記フレーム２及びカバー体４の両端を夫々保持するホルダー部材８，８、そして、前記ホルダー部材８に固定する口金９を主要部品としている。
【００１４】
図３は本考案の実施例における電源供給回路を保持部材に取り付ける状態を示す斜視図である。同図で示すように、保持部材６は上部に開口部６ａを有する断面略ハーフパイプ形状を成し、前記開口部６ａより電源供給回路５を取り付ける構造としている。具体的には、前記開口部６ａの縁部分に電源供給回路５の縁を係止するフック６ｂを複数形成しており、電気部品が前記保持部材６の底面側に向くよう前記開口部６ａより前記電源供給回路５を取り付ける。そして、前記保持部材６に取り付けられた電源供給回路５の上方より、絶縁シート７を取り付ける。ここで絶縁シート７の取り付けについて一例を詳述すると、保持部材６に開口部６ａ側から上方へ突出した突部６ｃを形成し、前記絶縁シート７には、前記突部６ｃが挿通する貫通孔７ａを設ける。そして、前記保持部材６の突部６ｃに絶縁シート７の貫通孔７ａを挿通して電源供給回路５に絶縁シート７を取り付ける。
【００１５】
図４は本考案の実施例における保持部材をフレームに取り付ける状態を示す斜視図である。同図で示すように、保持部材６に電源供給回路５及び絶縁シート７を取り付けた状態で、フレーム２の一方端部より収納する構造としている。具体的構造について一例を詳述すると、フレーム２は曲面部２ａとＬＥＤ基板３を配設する平坦部２ｂを一体に形成した端面略Ｄ字形状を成し、前記フレーム２の端部において平坦部２ｂを一部切欠いた切欠き部２ｃを形成している。そして、前記フレーム２の端部より保持部材６を挿通することで、前記切欠き部２ｃに前記保持部材６の突部６ｃが引っ掛かり、前記フレーム２に対して前記保持部材６を所定位置で固定することが出来る。
【００１６】
図５は本考案の実施例におけるＬＥＤ基板をフレームに配置する状態を示す斜視図である。同図で示すように、フレーム２の平坦部２ｂに複数のＬＥＤ３ａ，３ａ，・・が配設されたＬＥＤ基板３を複数配置している。尚、ＬＥＤ基板３，３，・・を固定する方法について一例を詳述すると、複数ある前記ＬＥＤ基板３，３，・・の間で平坦部２ｂに孔２ｄを設け、前記孔２ｄに挿嵌するリベット１０を用いて前記ＬＥＤ基板３，３，・・を固定したり、或いは後述するフレーム２に取り付けるカバー体４に前記ＬＥＤ基板３，３，・・の縁部を押さえる為のリブ４ａを設け、前記リブ４ａによって前記ＬＥＤ基板３，３，・・を押さえても良い。又、リベット１０による固定とカバー体４のリブ４ａによる押さえの両方を採用しても良く、本実施例では両方実施した構造を示している。
【００１７】
そして、フレーム２の平坦部２ｂに配置された互いに隣接するＬＥＤ基板３，３，・・の電気的な接続を行い、前記フレーム２にカバー体４を取り付ける。尚、ＬＥＤ基板３の電気的な接続手段については、例えば、線材の半田付けによる接続や、コネクタを用いた接続等がある。又、フレーム２に対するカバー体４の取り付け手段について図６及び図７を用いて一例を詳述する。図６は本考案の実施例におけるカバー体をフレームに取り付ける状態を示す斜視図、図７は本考案の実施例におけるカバー体をフレームに取り付けた状態を示す側面図である。同図で示すように、前記フレーム２の側部に溝部２ｅを長手方向に沿って設け、前記カバー体４には前記溝部２ｅに係合する係合突起部４ｂを設けている。そして、前記カバー部材４の係合突起部４ｂがフレーム２の溝部２ｅに係合することで、前記フレーム２に前記カバー体４を取り付けることが出来る。尚、本実施例ではフレーム２にカバー部材４を取り付けることで、前記カバー部材４のリブ４ａがフレーム２の平坦部２ｂに配置されたＬＥＤ基板３，３，・・の縁部を押さえる構造としている。
【００１８】
図８は本考案の実施例におけるホルダー部材をフレームに取り付ける状態を示す斜視図である。同図で示すように、カバー体４を取り付けたフレーム２の両端部に予め口金９を取り付けたホルダー部材８，８を取り付け、ネジ１１によって固定する構造としている。具体的な構造について詳述すれば、フレーム２の両端部に取り付けるホルダー部材８，８は概略円筒形状としており、前記フレーム２と前記カバー体４の係合により形成される略円形状の端部に嵌合する大きさとしている。そして、前記フレーム２の曲面部2aにはネジ１１が挿通する穴２ｆが形成してあり、前記ホルダー部材８には前記ネジ１１が挿通するネジ挿通孔８ａが形成してある。さらに、保持部材６には、前記ネジ１１が螺着するネジ穴６ｄが形成してあり（図３及び図４を参照）、前記ネジ挿通孔８ａ及び穴２ｆを介してネジ１１をネジ穴６ｄに螺着することで、前記ホルダー部材８はカバー体及びフレーム２の両端部に嵌合した状態で固定される。尚、本実施例では、保持部材６を収納しないフレーム２の他方端部側において、前記保持部材６の代わりにネジ締結部材１２を収納し（図２を参照）、ネジ１１を螺着する構造としている。
【００１９】
図９は本考案の実施例における口金をホルダー部材に取り付ける状態を示す斜視図である。同図で示す口金９は、ホルダー部材８に対してカシメにより固定されている。すなわち、口金９とホルダー部材８の重合部分において、前記口金９の周縁部分より複数のピンによりカシメを行い固定している。前述のカシメにより、ホルダー部材８に対する口金９の外れや回転を抑えることが出来る。
尚、前記口金９には外部からの電気を取り込む為の端子ピン９ａを設けている。又、カシメにより口金９をホルダー部材８に取り付ける作業は、フレーム２に取り付ける前に別工程で行うのが好ましい。
【００２０】
以上、本考案の一実施例について詳述したが、本考案は前記実施例に限定されるものではなく、本考案の主旨の範囲内で種々の変形実施が可能である。
【符号の説明】
【００２１】
１．蛍光灯型ＬＥＤ照明装置
２．フレーム
２ａ．曲面部
２ｂ．平坦部
２ｃ．切欠き部
２ｄ．孔
２ｅ．溝部
２ｆ．穴
３．ＬＥＤ基板
３ａ．ＬＥＤ
４．カバー体
４ａ．リブ
４ｂ．係合突起部
５．電源供給回路
６．保持部材
６ａ．開口部
６ｂ．フック
６ｃ．突部
６ｄ．ネジ穴
７．絶縁シート
７ａ．貫通孔
８．ホルダー部材
８ａ．ネジ挿通孔
９．口金
９ａ．端子ピン
１０．リベット
１１．ネジ
１２．ネジ締結部材
【図１】
0003163304.tif 000003
【図２】
0003163304.tif 000004
【図３】
0003163304.tif 000005
【図４】
0003163304.tif 000006
【図５】
0003163304.tif 000007
【図６】
0003163304.tif 000008
【図７】
0003163304.tif 000009
【図８】
0003163304.tif 000010
【図９】
0003163304.tif 000011